(57)【要約】【課題】宅内配管施工後の漏れの検査は、配管内部に水や空気等の検査流体を封入し圧力を加えて漏れの有無を確認する方法によって行われるが、その際、配管の端末に検査用継手の取付けが必要であり、その取り付け取外しに多大な時間と労力が必要であった。【解決手段】検査用継手の配管端末の樹脂管Ｐを挿入する樹脂管挿入部Ａに樹脂管をロックするストッパー３を設定してワンタッチで樹脂管に検査用継手を着合できるようにすると共に、リリースキャップ６のワンタッチ操作によりロックを解除できるように構成した。【選択図】図１
2019173835.tif 000002
【特許請求の範囲】
【請求項１】
継手本体の先端側に樹脂管挿入部を構成する間隙を置いて設定するカバー体と、該カバー体の先端部に樹脂管をロックするストッパーを設定するキャップと伸張方向に付勢されたスプリングを介して、樹脂管挿入口を設けたリリースキャップをカバー体先端側に嵌着して成る配管検査用継手。
【請求項２】
樹脂管の先端部位を外部から目視できるようにカバー体を透明に構成した請求項１記載の配管検査用継手。
【発明の詳細な説明】
【技術分野】
【０００１】
本発明は、宅内配管施工後、末端の水栓金具を取り付ける前に配管に漏れがないか水圧又は空圧検査を行う際に用いる配管検査用継手に関するものである。
【背景技術】
【０００２】
宅内配管施工後の漏れの検査は、配管内部に水や空気等の検査流体を封入し圧力を加えて漏れの有無を確認する方法によって行われるが、その際、配管の端末に、端末閉止のための閉塞部材や検査流体注入のための注入部材を取り付ける必要がある。
【０００３】
従来、このように検査のために配管端末に取り付けられる部材処理は、例えば、特許文献１記載のように樹脂管が挿入される継手本体を備えており、その継手本体の内部には上記樹脂管との係合により同樹脂管の継手本体からの抜け出しを防止するロックリングが設けられている継手を用いたり、更に、特許文献２記載のように継手本体とロックリングとを同一軸線上に位置させ、その軸線に沿って継手本体内に押し込まれることによってロックリングと樹脂管との係合を解除するリリースを備えるようにして簡易迅速に配管端末への着脱ができるようにする提案もなされている。
【０００４】
また、特許文献３記載のように、樹脂管の内径部にプラグ式継手を螺子込んだり、樹脂管の外径をメカニカル式継手によってナットを締め込むことにより接合することが行われている。
【先行技術文献】
【特許文献】
【０００５】
【特許文献１】特許第４５６５７７６号公報
【特許文献２】特開２０１８−１７３３６号公報
【特許文献３】特開２０００−１５５０６８号公報
【発明の概要】
【発明が解決しようとする課題】
【０００６】
以上のような配管検査は、検査後、検査用継手を取り外し、水栓金具接続用の継手を樹脂管に接続し、水栓金具を取り付けて配管施工が完了するが、水栓金具を取り付け後に漏洩が生ずると、その漏洩箇所の発見に手間を要すると共に、その手直しや配管の交換工事に多大な時間を要することになる。
【０００７】
そのため、前記のような配管検査が行われるものであり、前記先行技術による対応が採られてきた。しかしながら、前記先行技術による継手は何れも樹脂管からの取り外しがワンタッチとまでは行かず、構成部材の形状が複雑で加工や組立てに時間と労力を要するという問題があった。
【０００８】
検査用継手は、検査時に抜けや漏れのない確実な着脱が必要不可欠であるが、作業者の未熟による樹脂管の不完全な挿し込みや、誤操作による樹脂管の抜け出しは大事故に繋がりかねない問題がある。
【０００９】
検査用継手は、検査時に抜けや漏れのない確実な構造を必要とすると共に、取付け取り外しを簡易迅速に行えることが必要であることから、本発明は樹脂管への着脱を手動によって簡易迅速に行える配管検査用継手の提供を目的としたものである。
【課題を解決するための手段】
【００１０】
本発明は上記した課題に対応しようとするものであり、継手本体の先端側に樹脂管挿入部を構成する間隙を置いて設定するカバー体と、該カバー体の先端部に樹脂管をロックするストッパーを設定するキャップと伸張方向に付勢されたスプリングを介して、樹脂管挿入口を設けたリリースキャップをカバー体先端側に嵌着するように構成した。
【００１１】
この構成により、手動でリリースキャップの樹脂管挿入口から樹脂管を挿し込むだけで、検査用継手を取付けることができ、スプリングに抗してリリースキャップを継手本体後端側に押すことにより樹脂管から検査用継手を取り外すことができる。
【００１２】
更に、継手本体の先端側に設定するカバー体の所要部を透明に構成することにより樹脂管の挿入状況を外部から目視で確認することができ、継手部における樹脂管の挿入不足による抜けや封入流体の漏れをより完全に防止することができる。
【発明の効果】
【００１３】
本発明は、以上のように構成したことにより、検査時に抜けや漏れのない確実な着脱が可能となり、作業者の未熟による樹脂管の不完全な挿し込みや、誤操作による樹脂管の抜け出しを防止することができ、樹脂管への着脱を手動によって簡易迅速に行える効果があるものである。
【図面の簡単な説明】
【００１４】
【図１】本発明の実施例を示すもので、樹脂管とそれを差し込む前における検査用継手の構造を示す縦断面正面図。
【図２】同じく、検査用継手に樹脂管が差し込まれ、ストッパーによって係止された状態を示す検査用継手の縦断面正面図。
【図３】同じく、樹脂管から検査用継手を引き抜くため、リリースキャップを継手本体の後端側に押し込んでストッパーの係止を解除させた状態を示す検査用継手の縦断面正面図。
【図４】同じく、カバー体とキャップを組み付けた継手本体に、スプリングを介してリリースキャップを仮組みした状況を示す検査用継手の縦断面正面図。
【発明を実施するための形態】
【００１５】
以下、図面に基づいて本発明の実施の形態を説明する。
１は検査用継手で、継手本体１１の先端側に樹脂管挿入部Ａを構成する間隙を置いて設定するカバー体２と、該カバー体２の先端部に樹脂管Ｐをロックするストッパー３を設定するキャップ４と伸張方向に付勢されたスプリング５を介して、樹脂管挿入口６１を設けたリリースキャップ６をカバー体２の先端側に嵌着して構成されている。
【００１６】
その組立については、先ず、先端にストッパー３を設定したカバー体２とキャップ４を組み立てた継手本体１１に、スプリング５を介してリリースキャップ６を載置して仮組し、更に、工具を用いて伸張方向に付勢されたスプリング５に抗して強制的に押し込みを行う。
【００１７】
この強制的な押し込みにより、キャップ４の外周に形成された係合段部４１とリリースキャップ６の尾端内径に設けられた係合段部６２とが係合して組み立てられる。
【００１８】
樹脂管への取付けは、リリースキャップ６の先端に開口する樹脂管挿入口６１に樹脂管Ｐを挿入すると、樹脂管Ｐの先端は挿入方向奥側に向かうに従い径方向内側に向けて斜立するストッパー片３２を乗り越えて樹脂管挿入部Ａの底部まで挿入することができる。また、樹脂管挿入部Ａのスペースを構成する継手本体１１の先端部１３の外周にはＤリング１２,１２が嵌着されており、樹脂管Ｐの内周面との間の水密性が図られている。
【００１９】
挿入された樹脂管は、ストッパー３が挿入方向奥側に向かうに従い径方向内側に向けて斜立するストッパー片３２によって構成されているので、先端側に向けて引張ってもストッパー片３２が樹脂管外周に食い込んで引抜きが阻止される。
【００２０】
樹脂管Ｐの挿入度合いは、カバー体２を透明にすることで、樹脂管挿入部Ａの底部まで挿入されているのを目視で確認できるので、検査用継手１の取付けを安全確実に行えるものである。
更に、キャップ４の色を例えば黒に設定することにより、樹脂管Ｐの取外し操作の際、キャップ４とリリースキャップ６の内部に装着しているスプリング５が縮み、キャップ４がリリースキャップ６内に隠れる状況が外部から目視できるので、ロックが解除されたことを確認できる。
【００２１】
また、スプリング５が伸張方向に向けて付勢されているので、リリースキャップ６が常に先端側に向けて押圧され、安定した検査用継手の取付けを行うことができる。
【００２２】
次に、樹脂管の挿入を解除して樹脂管Ｐから検査用継手１を取り外す際には、リリースキャップ６をスプリング５の反発力に抗して継手本体後端側に押すことにより樹脂管Ｐから検査用継手１を取り外すことができる。
なお、リリースキャップ６の外形部に指が掛かる段差６４を設けることによりリリースキャップ６の操作をし易くできる。
【００２３】
すなわち、リリースキャップ６を継手本体後端側に押すことにより、リリースキャップ６の樹脂管挿入部内壁６３が、挿入方向奥側に向かうに従い径方向内側に向けて斜立するストッパー３のストッパー片３２を、カバー体２の先端部とキャップ４の先端側内周凹部によって形成される凹陥部３１に一時的に変形させてストッパー機能を停止させることにより樹脂管挿入部Ａから樹脂管Ｐを円滑に引抜くことができるものである。
【産業上の利用可能性】
【００２４】
本発明に係る配管検査用継手は、上記のように、検査時に抜けや漏れのない確実な構造を備え、取付け取り外しを簡易迅速に行えると共に、樹脂管への着脱を手動によって簡易迅速に行うことを可能とするほか、これまで多大な時間と労力を要した宅内配管施工後、末端の水栓金具を取り付ける前に配管に漏れがないか水圧又は空圧検査を行う際に用いる配管検査を極めて容易に行えるようにしたもので水道機器産業において利用することができる。
【符号の説明】
【００２５】
１      検査用継手
１１    継手本体
１２    Ｄリング
１３    継手本体の先端部
２      カバー体
３      ストッパー
３１    ストッパー片凹陥部
３２    ストッパー片
４      キャップ
４１    キャップ外周の係合段部
５      スプリング
６      リリースキャップ
６１    リリースキャップの樹脂管挿入口
６２    リリースキャップ尾端内径の係合段部
６３    樹脂管挿入部内壁
６４    リリースキャップの操作段差
Ａ      樹脂管挿入部
Ｐ      樹脂管
【図１】
2019173835.tif 000003
【図２】
2019173835.tif 000004
【図３】
2019173835.tif 000005
【図４】
2019173835.tif 000006